(57)【要約】【課題】夫々のデータラインの寄生成分によるデータ電流の遅延及び減殺を予め補償して、画素の間で発生する可能性のある動作偏差を防止することができる手段を提供する。【解決手段】本発明による有機電界発光表示装置は、ディスプレイパネルに行列形態に配列されて、第１行から第Ｎ＋ｋ行で構成された複数の画素と、前記第１行から第Ｎ行の、夫々同一の列の画素と連結される複数の第１データラインと、前記第ｋ＋１行から第Ｎ＋ｋ行の、夫々同一の列の画素と連結される複数の第２データラインと、前記第２データラインの時定数を感知し、この感知された時定数によってデータ電流を補償して、対応する第１データラインを夫々前記補償されたデータ電流によって駆動する複数の画素駆動バッファを含む。【選択図】図２
2012008538.tif 000002
【特許請求の範囲】
【請求項１】
ディスプレイパネルに行列形態に配列される複数の画素；
互いに一対を成して、前記ディスプレイパネルに列方向に繰り返して配列される複数の第１及び第２データライン；及び
前記第２データライン夫々の時定数を感知し、前記感知された時定数だけデータ電流を夫々補償して、対応する第１データラインに連結された画素を前記補償されたデータ電流によって駆動する複数の画素駆動バッファ；
を含む有機電界発光表示装置。
【請求項２】
前記第１及び第２データラインのうち、前記第１データラインは前記画素と電気的に連結され、前記第２データラインは前記画素と連結されない請求項１に記載の有機電界発光表示装置。
【請求項３】
前記画素駆動バッファは、
一行の画素を駆動する前まで、前記第２データラインの時定数を感知して前記データ電流を補償する請求項１に記載の有機電界発光表示装置。
【請求項４】
前記画素駆動バッファは、
前記第２データライン夫々の時定数を感知する時定数感知部；及び
前記データ電流の印加を受けて前記感知された時定数だけデータ電流を補償し、前記補償されたデータ電流によって前記画素を駆動する駆動部；
を含む請求項１に記載の有機電界発光表示装置。
【請求項５】
前記画素を行単位に順次に活性化するゲートドライバーをさらに含む請求項１に記載の有機電界発光表示装置。
【請求項６】
前記活性化された行の画素を駆動するために、前記データ信号を出力するデータドライバーをさらに含む請求項５に記載の有機電界発光表示装置。
【請求項７】
ディスプレイパネル；
前記ディスプレイパネルに行列形態に配列される複数の画素；
前記行単位の画素と夫々連結されるゲートラインを通じて、前記画素を行単位で順次に活性化するゲートドライバー；
前記活性化された行の画素を駆動するために、データ電流を出力するデータドライバー；
前記ディスプレイパネルに列方向に配列され、夫々列単位の画素と連結される複数のデータライン；
前記データライン夫々に対応して配列される複数のダミーデータライン；及び
前記ダミーデータラインの夫々の時定数を感知し、その感知された時定数によってデータ電流を夫々補償して、対応するデータラインを通じて画素を駆動する複数の画素駆動バッファ；
を含む有機電界発光表示装置。
【請求項８】
前記データライン及びダミーデータラインのうち、前記データラインのみ前記画素と電気的に連結される請求項７に記載の有機電界発光表示装置。
【請求項９】
前記画素駆動バッファは、
時定数の感知のために前記ダミーデータラインの電流を感知する時定数感知部；及び
前記感知された電流を前記データ電流に加えて補償電流を生成し、この補償電流で対応するデータラインに連結された画素を駆動する駆動部；
を含む請求項７に記載の有機電界発光表示装置。
【請求項１０】
ディスプレイパネルに行列形態に配列され、第１行から第Ｎ＋ｋ行で構成された複数の画素；
前記第１行から第Ｎ行の、夫々同一の列の画素と連結される複数の第１データライン；
第ｋ＋１行から第Ｎ＋ｋ行の、夫々同一の列の画素と連結される複数の第２データライン；及び
前記第２データラインの時定数を感知し、この感知された時定数によってデータ電流を補償して、対応する第１データラインを夫々前記補償されたデータ電流によって駆動する複数の画素駆動バッファ；
を含む有機電界発光表示装置。（Ｎ、ｋは自然数）
【請求項１１】
前記第ｋ＋１行から第Ｎ＋ｋ行の画素は非駆動されるダミー画素である請求項１０に記載の有機電界発光表示装置。
【請求項１２】
前記夫々の画素駆動バッファは、
前記第２データラインの時定数を感知する時定数感知部；及び
前記データ電流の印加を受けて前記感知された時定数だけデータ電流を補償し、前記補償されたデータ電流によって対応する第１データラインに連結された画素を駆動する駆動部；
を含む請求項１０に記載の有機電界発光表示装置。
【請求項１３】
前記第１行から第Ｎ行の画素を行単位で順次に活性化するゲートドライバーをさらに含む請求項１０に記載の有機電界発光表示装置。
【請求項１４】
前記活性化された行の画素を駆動するために、前記データ電流を出力するデータドライバーをさらに含む請求項１３に記載の有機電界発光表示装置。
【請求項１５】
ディスプレイパネル；
前記ディスプレイパネルに互いに直交して配列される複数のデータライン及びゲートライン；
前記データラインに夫々対応して、並んで配列される複数のダミーデータライン；
少なくとも一つの行を構成して、前記データラインに夫々連結される複数の第１画素；
少なくとも一つの行を構成して、前記データライン及びダミーデータラインに共通に連結される複数の第２画素；
少なくとも一つの行を構成して、前記ダミーデータラインに夫々連結される複数の第３画素；及び
前記ダミーデータラインの時定数を感知し、前記感知された時定数によってデータ電流を補償して、夫々対応するデータラインに連結された画素を駆動する複数の画素駆動バッファ；
を含む有機電界発光表示装置。
【請求項１６】
前記第３画素は前記データ電流に関わらず非駆動されるダミー画素である請求項１５に記載の有機電界発光表示装置。
【請求項１７】
前記データラインに連結された第１画素の数とそれに対応するダミーデータラインに連結された第３画素の数は同一である請求項１５に記載の有機電界発光表示装置。
【請求項１８】
前記画素駆動バッファは、
前記第１画素のみ活性化される区間の間、前記ダミーデータラインの時定数を感知する請求項１５に記載の有機電界発光表示装置。
【請求項１９】
前記画素駆動バッファは、
一行の駆動前まで前記ダミーデータラインの時定数を感知し、前記データ電流を補償する請求項１５に記載の有機電界発光表示装置。
【請求項２０】
前記夫々の画素駆動バッファは、
前記ダミーデータラインの時定数の感知のために、前記ダミーデータラインの電流を感知する時定数感知部；及び
前記データ電流に前記時定数感知部で感知した電流を加えて補償電流を生成し、この補償電流によって対応するデータラインに連結された画素を駆動する駆動部；
を含む請求項１５に記載の有機電界発光表示装置。
【請求項２１】
前記画素を行単位に順次に活性化するゲートドライバーをさらに含む請求項１５に記載の有機電界発光表示装置。
【請求項２２】
前記活性化された行の画素を駆動するためのデータ電流を出力するデータドライバーをさらに含む請求項２１に記載の有機電界発光表示装置。
【発明の詳細な説明】
【技術分野】
【０００１】
本発明は有機電界発光表示装置に関し、特に、夫々のデータラインの寄生成分によって遅延及び減殺されるデータ電流を予め補償し、画素の動作単一性を確保する有機電界発光表示装置に関する。
【背景技術】
【０００２】
最近、平板表示装置（ＦＰＤ：Ｆｌａｔ  Ｐａｎｅｌ  Ｄｉｓｐｌａｙ）の重要性はマルチメディアの発達につれてさらに増大されている。平板表示装置には、液晶ディスプレイ（Ｌｉｑｕｉｄ  Ｃｒｙｓｔａｌ  Ｄｉｓｐｌａｙ）、プラズマディスプレイパネル（Ｐｌａｓｍａ  Ｄｉｓｐｌａｙ  Ｐａｎｅｌ：ＰＤＰ）、有機電界発光表示装置（Ｏｒｇａｎｉｃ  Ｅｌｅｃｔｒｏｌｕｍｉｎｅｓｃｅｎｃｅ  Ｄｉｓｐｌａｙ）などがある。
【０００３】
このうち有機電界発光表示装置は、蛍光性有機化合物である有機発光ダイオード（Ｏｒｇａｎｉｃ  Ｌｉｇｈｔ  Ｅｍｉｔｔｉｎｇ  Ｄｉｏｄｅ：ＯＬＥＤ）を基板上に形成し、電気的に励起して発光させる装置であり、低い消費電力、高速の応答速度、高い発光効率及び大きい視野角などの長所があるため、最近広く用いられている。
【０００４】
一般的に、有機電界発光表示装置は画素が行列形態に配列されたディスプレイパネル、画素を駆動するためのゲートドライバー及びデータドライバーを含む。このうちゲートドライバーは画素を行単位に活性化し、データドライバーはデータラインを通じて活性化された画素にデータ信号を印加する。
【０００５】
一方、夫々のデータラインは寄生抵抗及び寄生キャパシタンスを有するため、データ信号の伝送時に伝送時間を遅延させて動作速度の低下をもたらす可能性がある。また、データラインの間にも寄生抵抗及び寄生キャパシタンスが異なるため、このような差異は各画素に対するデータ信号の伝送時間を異なるようにし、画素の動作単一性を低下させる可能性がある。特に、ディスプレイパネルが大型化されるほどデータラインの長さは長くなるため、寄生抵抗及び寄生キャパシタンスも増加し、画素の間の動作偏差はさらに深化される可能性がある。
【先行技術文献】
【特許文献】
【０００６】
【特許文献１】韓国公開特許第１０−２００８−００１７９０３号公報
【特許文献２】韓国公開特許第１０−２００７−００５８１６１号公報
【発明の概要】
【発明が解決しようとする課題】
【０００７】
本発明の実施形態は夫々のデータラインの寄生成分によるデータ電流の遅延及び減殺を予め補償して、画素の間で発生する可能性のある動作偏差を防止することができる手段を提供することを目的とする。
【課題を解決するための手段】
【０００８】
前記課題を解決するための本発明の実施形態による有機電界発光表示装置は、ディスプレイパネルに行列形態に配列される複数の画素と、互いに一対を成し、前記ディスプレイパネルに列方向に繰り返して配列される複数の第１及び第２データラインと、前記第２データライン夫々の時定数を感知し、前記感知された時定数だけデータ電流を夫々補償して、対応する第１データラインに連結された画素を前記補償されたデータ電流によって駆動する複数の画素駆動バッファを含む。
【０００９】
また、前記課題を解決するための本発明の実施形態による有機電界発光表示装置は、ディスプレイパネルと、前記ディスプレイパネルに行列形態に配列される複数の画素と、前記行単位の画素と夫々連結されるゲートラインを通じて、前記画素を行単位で順次に活性化するゲートドライバーと、前記活性化された行の画素を駆動するために、データ電流を出力するデータドライバーと、前記ディスプレイパネルに列方向に配列されて、夫々列単位の画素と連結される複数のデータラインと、前記データライン夫々に対応して配列される複数のダミーデータラインと、前記ダミーデータラインの時定数を夫々感知し、その感知された時定数によってデータ電流を夫々補償して、対応するデータラインを通じて画素を駆動する複数の画素駆動バッファを含む。
【００１０】
また、前記課題を解決するための本発明の実施形態による有機電界発光表示装置は、ディスプレイパネルに行列形態に配列されて、第１行から第Ｎ＋ｋ行で構成された複数の画素と、前記第１行から第Ｎ行の、夫々同一の列の画素と連結される複数の第１データラインと、第ｋ＋１行から第Ｎ＋ｋ行の、夫々同一の列の画素と連結される複数の第２データラインと、前記第２データラインの時定数を感知し、この感知された時定数によってデータ電流を補償して、対応する第１データラインを夫々前記補償されたデータ電流によって駆動する複数の画素駆動バッファを含む。
【００１１】
また、前記課題を解決するための本発明の実施形態による有機電界発光表示装置は、ディスプレイパネルと、前記ディスプレイパネルに互いに直交して配列される複数のデータライン及びゲートラインと、前記データラインに夫々対応して、並んで配列される複数のダミーデータラインと、少なくとも一つの行を構成して、前記データラインにのみ夫々連結される複数の第１画素と、少なくとも一つの行を構成して、前記データライン及びダミーデータラインに共通に連結される複数の第２画素と、少なくとも一つの行を構成して、前記ダミーデータラインにのみ夫々連結される複数の第３画素と、前記ダミーデータラインの時定数を感知し、前記感知された時定数によってデータ電流を補償して、夫々対応するデータラインに連結された画素を駆動する複数の画素駆動バッファを含む。
【発明の効果】
【００１２】
本発明の実施形態は、夫々のデータラインに存在する寄生成分を感知し、データラインを駆動するデータ電流を感知した寄生成分によって予め補償し、補償されたデータ電流によってデータラインを駆動することにより、データラインの寄生成分によって発生する可能性のある画素の間の動作偏差を減らすことができる。
【図面の簡単な説明】
【００１３】
【図１】本発明の第１実施形態による有機電界発光表示装置の構成を図示したブロック図である。
【図２】本発明の第２実施形態による有機電界発光表示装置の構成を図示したブロック図である。
【図３】画素駆動バッファの構成を図示したブロック図である。
【発明を実施するための形態】
【００１４】
以下、図面を参照して本発明の具体的な実施形態を説明する。しかし、これは例示に過ぎず、本発明はこれに限定されない。
【００１５】
本発明の説明において、本発明に係わる公知技術に対する具体的な説明が本発明の要旨を不必要にぼかす可能性があると判断される場合は、その詳細な説明を省略する。そして、後述する用語は本発明においての機能を考慮して定義された用語であり、これは使用者、運用者の意図または慣例などによって変わることができる。従って、その定義は本明細書の全体における内容を基に下すべきであろう。
【００１６】
本発明の技術的思想は特許請求の範囲によって決まり、以下の実施形態は本発明の技術的思想を本発明が属する技術分野にて通常の知識を有する者に効率的に説明するための一つの手段に過ぎない。
【００１７】
以下、添付された図面を参照して本発明の実施形態による有機電界発光表示装置を説明すると次の通りである。
【００１８】
図１は本発明の第１実施形態による有機電界発光表示装置の構成を図示したブロック図である。
【００１９】
図１を参照すると、有機電界発光表示装置１００は、ディスプレイパネル１０１、ゲートドライバー１０６、データドライバー１０７、複数のデジタル−アナログ変換器（ｄｉｇｉｔａｌ−ａｎａｌｏｇ  ｃｏｎｖｅｒｔｅｒ：ＤＡＣ）１０８及び複数の画素駆動バッファ１０９を含む。
【００２０】
このように構成された有機電界発光表示装置１００の各ブロックの機能を説明すると次の通りである。
【００２１】
まず、ディスプレイパネル１０１には複数の画素１０２が行列形態に配列されて、各画素１０２はゲートラインＧＬ１〜ＧＬｎを通じてゲートドライバー１０６と電気的に連結され、データラインＤＬ１〜ＤＬｋを通じてデータドライバー１０７と電気的に連結される。一方、ディスプレイパネル１０１には夫々のデータラインＤＬ１〜ＤＬｋに隣接して、複数のダミーデータラインＤＭＬ１〜ＤＭＬｋが配列される。この際、夫々のデータラインＤＬ１〜ＤＬｋには列単位の画素１０２が電気的に連結される一方、ダミーデータラインＤＭＬ１〜ＤＭＬｋには画素１０２が連結されない。ここで、ダミーデータラインＤＭＬ１〜ＤＭＬｋが夫々のデータラインＤＬ１〜ＤＬｋに隣接して配列されることは、できるだけデータラインＤＬ１〜ＤＬｋと類似の物理的特性を有するようにさせて、ダミーデータラインＤＭＬ１〜ＤＭＬｋを通じてデータラインＤＬ１〜ＤＬｋ夫々の時定数を測定するためである。
【００２２】
一方、ゲートドライバー１０６はゲートラインＧＬ１〜ＧＬｎを通じてパルス信号であるスキャン信号Ｓ［１：n］を順次に出力する。これにより、画素１０２は行単位で選択されて活性化される。画素１０２はスキャン信号Ｓ［１：n］によって活性化された状態でのみデータ電流によって駆動されて発光する。
【００２３】
データドライバー１０７は、複数のビートで構成されたデータ信号ＤＡＴＡをビート単位で順次に受信し、行単位の画素に対応する全てのビートが受信された場合、このビートをラッチした後、同時に並列に出力する。この際、画素１０２はデジタル形態の信号に直接応答して駆動することができないため、デジタル−アナログ変換器１０８を通じてアナログ形態のデータ電流に変換する。デジタル−アナログ変換器１０８で生成されたデータ電流は夫々画素駆動バッファ１０９に印加される。
【００２４】
画素駆動バッファ１０９はまず、ダミーデータラインＤＭＬ１〜ＤＭＬｋの時定数を測定する。これは、ダミーデータラインＤＭＬ１〜ＤＭＬｋから時定数によって減殺された電流を感知する方法によってなされる。夫々の画素駆動バッファ１０９は、感知された電流を対応するデータラインＤＬ１〜ＤＬｋを駆動するデータ電流に加えることによって、データ電流を補償する。そして、夫々の画素駆動バッファ１０９は、対応するデータラインＤＬ１〜ＤＬｋに連結された画素１０２を補償されたデータ電流で駆動する。即ち、互いに隣接した一対のデータラインとダミーデータラインの物理的特性は殆ど類似であるため、ダミーデータラインの時定数を測定することによって、隣接したデータラインの時定数を間接的に測定するようになり、この時定数によってデータラインを駆動するデータ電流を予め補償するのである。一方、画素駆動バッファ１０９は一行の画素１０２を駆動する前まで、全てのダミーデータラインＤＭＬ１〜ＤＭＬｋの時定数を感知してデータ電流を補償し、全ての画素１０２を補償されたデータ電流で駆動する。
【００２５】
このように、第１実施形態による有機電界発光表示装置は、夫々のデータラインＤＬ１〜ＤＬｋに対応して隣接配列されるダミーデータラインＤＭＬ１〜ＤＭＬｋを通じて、間接的にデータラインＤＬ１〜ＤＬｋ夫々の時定数を測定し、データラインＤＬ１〜ＤＬｋを通じて伝送されるデータ電流をこの時定数によって予め補償するようになる。
【００２６】
図２は本発明の第２実施形態による有機電界発光表示装置の構成を図示したブロック図である。
【００２７】
第２実施形態は第１実施形態に比べて基本的な構成において重複される部分が多いため、第１実施形態と区分される特徴的な部分を中心に説明する。
【００２８】
図２を参照すると、有機電界発光表示装置２００は、ディスプレイパネル２０１、ゲートドライバー２０６、データドライバー２０７、複数のデジタル−アナログ変換器２０８及び複数の画素駆動バッファ２０９を含む。
【００２９】
まず、ディスプレイパネル２０１には行列形態に画素２０２が配列され、少なくとも一つの行を構成するダミー画素２０３が配列される。即ち、第１行から第Ｎ行の画素２０２はデータ電流により実際に駆動して発光する画素である一方、第Ｎ＋１行のダミー画素２０３はデータ電流に関わらず発光しない画素である。ダミー画素２０３はただダミーデータラインＤＭＬ１〜ＤＭＬｋの時定数の測定のための目的に加えられたものである。
【００３０】
具体的に説明すると、第１行から第Ｎ行の画素２０２は夫々列単位でデータラインＤＬ１〜ＤＬｋと連結されて、第２行から第Ｎ行の画素２０２と第Ｎ＋１行のダミー画素２０３は夫々列単位でダミーデータラインＤＭＬ１〜ＤＭＬｋと連結される。即ち、少なくとも一つの行の画素２０２はダミーデータラインＤＭＬ１〜ＤＭＬｋと連結されず、ダミーデータラインＤＭＬ１〜ＤＭＬｋが連結されない行の数だけダミー画素２０３で構成された行が加えられる。このように、データラインＤＬ１〜ＤＬｋに連結される第１行から第Ｎ行の画素２０２に夫々隣接する第２行から第Ｎ＋１行の画素２０２、２０３をダミーデータラインＤＭＬ１〜ＤＭＬｋに連結することによって、ダミーデータラインＤＭＬ１〜ＤＭＬｋにデータラインＤＬ１〜ＤＬｋと類似の物理的環境を提供する。これにより、第２実施形態で測定されるダミーデータラインＤＭＬ１〜ＤＭＬｋの時定数は、第１実施形態に比べてデータラインＤＬ１〜ＤＬｋの時定数と殆ど同一になることができる。もし、第１行及び第２行の画素２０２がデータラインＤＬ１〜ＤＬｋには連結されるが、ダミーデータラインＤＭＬ１〜ＤＭＬｋと連結されない場合、図２に図示された第Ｎ＋１行の他に第Ｎ＋２行のダミー画素２０３が追加的に配列され、ダミーデータラインＤＭＬ１〜ＤＭＬｋと連結されなければならず、これによってデータラインＤＬ１〜ＤＬｋと類似の物理的環境を提供することができる。
【００３１】
一方、ゲートドライバー２０６がゲートラインＧＬ１を通じてスキャン信号Ｓ［１］を出力すると、第１行の画素２０２は活性化される。この活性化区間の間、画素駆動バッファ２０９は時定数の感知のために、時定数によって減殺されたダミーデータラインＤＭＬ１〜ＤＭＬｋの電流を感知する。そして、データ電流に感知された電流を加えてデータ電流を補償し、この補償された電流によって夫々対応するデータラインＤＬ１〜ＤＬｋを駆動する。普通、ゲートドライバー２０６は第１行から第Ｎ行まで順次に活性化するが、画素駆動バッファ２０９は第１行の画素２０２を駆動する前まで、ダミーデータラインＤＭＬ１〜ＤＭＬｋの時定数を全て感知し、データラインＤＬ１〜ＤＬｋの駆動に適用されるデータ電流を補償すれば良い。従って、データ電流は第１行の画素２０２がスキャン信号によって活性化された区間、第１行の画素２０２が活性化される前またはディスプレイパネルのパワーオン（ｐｏｗｅｒ−ｏｎ）時に補償されることができる。
【００３２】
一方、図２において、ダミー画素２０３で構成されたダミー行は第Ｎ＋１行の一つのみを一例に図示したが、これに限定される必要はなく、数個のダミー行が加えられることもできる。もし、ダミーデータラインＤＭＬ１〜ＤＭＬｋが第Ｋ＋１行から連結される場合、データラインＤＬ１〜ＤＬｋと類似の物理的環境を提供するために、ダミーデータラインＤＭＬ１〜ＤＭＬｋは第Ｎ＋Ｋ行まで連結されなければならない。例えば、ダミーデータラインＤＭＬ１〜ＤＭＬｋが第４行から連結されると、第Ｎ＋３行まで連結されなければならず、この際、ダミー行は第Ｎ＋１行、第Ｎ＋２行及び第Ｎ＋３行、即ち、３個が加えられる。図２のように、ダミーデータラインＤＭＬ１〜ＤＭＬｋが第２行から第Ｎ＋１行まで連結される場合、上述のＫ値は１になり、加えられたダミー行の数も１になる。
【００３３】
図３は画素駆動バッファの構成を図示したブロック図である。
【００３４】
図３を参照すると、画素駆動バッファ２０９は時定数感知部３１０及び駆動部３１２を含む。
【００３５】
まず、時定数感知部３１０は時定数の感知のためにダミーデータラインＤＭＬの電流を感知する。この感知された電流は時定数によって減殺された電流であり、これを通じて時定数が分かる。一方、駆動部３１２はデジタル-アナログ変換器２０８によってアナログ形態に変換されたデータ電流Ｉｄａｔａを受信し、このデータ電流Ｉｄａｔａに感知電流Ｉｄｅｔを加えて補償電流Ｉｃｏｍを生成する。駆動部３１２はこの補償電流Ｉｃｏｍによって対応するデータラインＤＬに連結された画素を駆動する。これにより、データラインＤＬによるデータ電流の遅延及び減殺を減らすことができる。
【００３６】
このように、第２実施形態による有機電界発光表示装置は、データラインＤＬ１〜ＤＬｋ夫々に対応して隣接配列されるとともに、データラインＤＬ１〜ＤＬｋと類似に画素２０２及びダミー画素２０３が連結されたダミーデータラインＤＭＬ１〜ＤＭＬｋを通じて間接的にデータラインＤＬ１〜ＤＬｋ夫々の時定数を測定し、データラインＤＬ１〜ＤＬｋを駆動するデータ電流をこの時定数によって予め補償するようになる。
【００３７】
以上、代表的な実施形態を参照して本発明に対して詳細に説明したが、本発明に属する技術分野にて通常の知識を有する者は、上述の実施形態に対して本発明の範囲を外れない限度内で多様な変形が可能であることを理解するであろう。
【００３８】
従って、本発明の権利範囲は上述の実施形態に限定されてはならず、後述する特許請求の範囲だけでなくこの特許請求の範囲と均等なものによって決まるべきである。
【符号の説明】
【００３９】
２００  有機電界発光表示装置
２０１  ディスプレイパネル
２０２  画素
２０３  ダミー画素
２０６  ゲートドライバー
２０７  データドライバー
２０８  デジタル−アナログ変換器
２０９  画素駆動バッファ
３１０  時定数感知部
３１２  駆動部
【図１】
2012008538.tif 000003
【図２】
2012008538.tif 000004
【図３】
2012008538.tif 000005